(57)【要約】【課題】リモコン待機時は消費電力を０としながらも、動作状態に移行するタイムラグを最小限に抑える。【解決手段】リモコン２の待機状態では、スイッチング手段１３により、リモコン２の電源を遮断する。リモコン２を動作状態にするために、リモコン２に備えた入スイッチ１７もしくは電圧変化検出手段１８もしくはラッチ手段１９のいずれかの信号で、スイッチング手段１３をオンさせる構成としたことにより、待機状態にあるリモコン２の入スイッチ１７を操作するとすぐにスイッチング手段１３がオンし、リモコンを動作状態にできるので、タイムラグを最小限に抑えられる。また、給湯機本体１に電圧可変手段６と、リモコン２に電圧変化検出手段１８を備えたので、給湯機本体１からも待機状態のリモコン２を動作状態にできる。【選択図】図１
2011202849.tif 000002
【特許請求の範囲】
【請求項１】
給湯機本体と、リモコンを備え、前記給湯機本体と前記リモコンが、２心のケーブルで接続される給湯機において、前記給湯機本体から前記リモコンへの電源供給電圧を可変する電圧可変手段を前記給湯機本体に備え、前記リモコンには、供給された電源の入／切を行うスイッチング手段と、入スイッチと、電圧変化検出手段と、ラッチ手段を備え、前記入スイッチもしくは前記電圧変化検出手段もしくは前記ラッチ手段のいずれかの信号で、前記スイッチング手段をオンさせる構成とした給湯機。
【請求項２】
前記電圧変化検出手段は、抵抗とコンデンサからなり、前記コンデンサへの充電電流もしくは放電電流を利用し、前記スイッチング手段をオンさせるものとした請求項１に記載の給湯機。
【発明の詳細な説明】
【技術分野】
【０００１】
本発明は、リモコンを備えた給湯機に関するものである。
【背景技術】
【０００２】
ＣＯ２削減のため、給湯機においても、消費電力の削減が推進されている。しかしながら、給湯機の利便性・操作性向上のため、給湯機のリモコンにおいては、表示を大画面化したり、音声案内や通話機能などの付加機能がついてきた。
【０００３】
付加機能の追加により、当然のことながら電子回路が増え、消費電力が増える方向になる。技術進歩により、マイコンやＩＣの消費電力が年々減る方向にはあるが、更なる消費電力の低減も考案されている（例えば、特許文献１参照）。
【０００４】
一般的な給湯機は、リモコンとの接続に、無極性２線式と呼ばれる方法を採用している。この方式は、直流電源（例えばＤＣ１２Ｖ）を２心ケーブルでリモコンに供給するのと同時に、通信信号として周波数２５０ｋＨｚで振幅２Ｖｐ−ｐ程度の信号を直流に重畳させている。この直流電源で、リモコンは動作している。しかしながら、給湯機が動作していない時や、リモコンの表示を行っていない時は、本来リモコンの電源は不要である。しかしながら、電源供給を断ってしまうと、使用者がリモコンを操作して、動作させようとしても、リモコンに電源供給されていないために、リモコンの操作を受け付けることができないということになり、使えなくなってしまう。そのため、リモコンのスイッチ操作の受付のために、常時電源を供給し続けている。
【０００５】
しかし、待機状態の消費電力削減のために、以下の構成が実用化されている。それは、待機状態になれば供給電圧を低下させるということである。表示や音声案内、通話などの機能の実現には、ＤＣ１２Ｖ程度の電源供給が最適であるが、待機状態であれば、スイッチ操作の受付に必要なマイコンさえ動作できる電圧（例えばＤＣ８Ｖ）に低下させるというものである。待機状態でのリモコンの消費電流が、０．０５Ａとすると、１２Ｖで電源供給すると０．０５Ａ×１２Ｖ＝０．６Ｗとなる。８Ｖに低下させると、０．０５Ａ×８Ｖ＝０．４Ｗとなる。リモコンが台所と浴室の２個接続されるとなると、１個当たりで０．２Ｗ、２個で０．４Ｗの消費電力の削減となる。
【０００６】
また、特許文献１の給湯機では、さらなる消費電力低減の考案がなされている。リモコンへの電源供給電圧を動作時と待機時で切り替えるのは同様であるが、動作時には、リモコンへの供給電圧をＤＣ１５Ｖで供給し、待機時はＤＣ１Ｖを供給することにより、大幅な省電力を図るものである。待機時は、リモコンのマイコンが停止するが、リモコン起動用スイッチをマイコンに接続せずに、直接供給電源に接続し、スイッチ操作により電流を流し、この小電流による電圧降下を、給湯機本体側で検出すことにより、電源供給電圧を動作時用の電圧（ＤＣ１５Ｖ）に切り替えている。
【先行技術文献】
【特許文献】
【０００７】
【特許文献１】特開２００２−１１５９０４号公報
【発明の概要】
【発明が解決しようとする課題】
【０００８】
しかしながら、前記従来の給湯機では、リモコンに給電する電圧を１Ｖ程度まで低下させているため、待機状態から動作状態にするためには、給電電圧をＤＣ１ＶからＤＣ１２
Ｖ（特許文献１では、ＤＣ１５Ｖ）まで上昇させる必要があった。
【０００９】
一般的な給湯機では、直流電源をつくるために、スイッチング電源と呼ばれる電源回路を採用している。スイッチング電源を採用する前は、電源トランスでＡＣ１００ＶをＡＣ１２Ｖに降圧し、それを整流して直流電源をつくっていた。電源トランスは、効率が悪いため、スイッチング電源を採用し、省電力化を図っている。このスイッチング電源の出力を１Ｖから１２Ｖに上昇させ、リモコンに給電し、その結果、リモコンのマイコンが動作を開始するということである。
【００１０】
このとき、一連の回路動作において、若干のタイムラグ（時間遅れ）が発生するという課題を有していた。タイムラグの発生要因は、以下の通りである。
（スタート）使用者がスイッチを押す。
（タイムラグ要因１）小電流が流れたことを検出する。
【００１１】
（タイムラグ要因２）  供給電圧を１Ｖから１２Ｖに上昇させる。
（タイムラグ要因３）マイコンが起動する。
（ストップ）表示が点灯する。
若干のタイムラグではあるが、従来の給湯機のリモコンの操作性に慣れている利用者にとっては違和感のあるものであった。
【００１２】
本発明は、前記従来の課題を解決するもので、リモコン待機状態の消費電力を削減しながらも、リモコンが待機状態から動作状態に移行する時のタイムラグを最小限にする給湯機を提供することを目的とする。
【課題を解決するための手段】
【００１３】
前記従来の課題を解決するために、本発明の給湯機は、給湯機本体に電圧可変手段を備え、リモコンには、電源の入／切を行うスイッチング手段と、入スイッチと、電圧変化検出手段と、ラッチ手段を備え、入スイッチもしくは電圧変化検出手段もしくはラッチ手段のいずれかの信号で、前記スイッチング手段をオンさせる構成としたものである。
【００１４】
これによって、リモコンの待機状態では、スイッチング手段でリモコンの電源をリモコン側で遮断する。よって、消費電流を０（ゼロ）にでき、待機状態の消費電力を大幅に削減できる。また、待機状態においても、給湯機本体の電圧可変手段により、リモコンのマイコンが動作できる最低限の電圧以上の電圧を供給する。よって、待機状態から動作状態への移行時において、即座にマイコンを起動できる条件で待機できる。
【００１５】
使用者により、リモコンの入スイッチを操作された場合は、入スイッチの接点導通により、スイッチング手段をオンさせる。この回路動作だけで、リモコンのマイコンに即座に電源供給できるので、入スイッチの操作からマイコンの起動までのタイムラグを最小限にできる。電源供給されれば、ラッチ手段がスイッチング手段をオンさせ続けるので、使用者が入スイッチを押す指を離して、入スイッチの接点が開となっても、スイッチング手段をオンさせ続けることができる。
【００１６】
また、リモコンが待機状態の場合は、電源供給はされているがスイッチング手段で電源を遮断し、マイコンが停止している。この状態でも、給湯機本体の電圧可変手段でリモコンへの供給電圧を変化させることで、リモコンの電圧変化検出手段がその電圧変化を検出し、スイッチング手段をオンする。よって、リモコンのマイコンが停止状態においても、給湯機本体からリモコンを動作状態にできる。
【００１７】
使用者によるスイッチ操作から表示の点灯までのタイムラグは、以下の通りである。
（スタート）使用者がスイッチを押す。
（タイムラグなし）同時にスイッチング手段がオンする。
（タイムラグ要因１）マイコンが起動する。
（ストップ）表示が点灯する。
【００１８】
リモコンへの供給電圧は、リモコンのマイコンが動作できる最低限の電圧以上の電圧が供給されているので、電圧可変手段が電圧を高くするのを待つ必要がない。また、表示の点灯もマイコンが動作できる最低限の電圧以上の電圧で表示できる設計とすることで違和感をなくすことができる。
【００１９】
また、本発明の給湯機は、電圧変化検出手段を、抵抗とコンデンサで構成したものである。リモコンへの供給電圧の変化によって生じるコンデンサへの充電電流もしくは放電電流を利用し、スイッチング手段をオンさせるので、電圧変化のない状態（待機状態、動作状態）では、消費電流を０（ゼロ）にできるので、消費電力を削減できる。
【発明の効果】
【００２０】
本発明の給湯機は、リモコンが待機状態には、リモコンの消費電力を大幅に削減できると共に、リモコンを操作して、待機状態から動作状態に移行させる場合のタイムラグが小さく、違和感がないようにすることができる。
【図面の簡単な説明】
【００２１】
【図１】本発明の実施の形態１における給湯機のブロック図
【図２】本発明の実施の形態１における給湯機のスイッチング手段と入スイッチと電圧変化検出手段とラッチ手段の回路図
【発明を実施するための形態】
【００２２】
第１の発明は、給湯機本体と、リモコンを備え、前記給湯機本体と前記リモコンが、２心のケーブルで接続される給湯機において、前記給湯機本体から前記リモコンへの電源供給電圧を可変する電圧可変手段を前記給湯機本体に備え、前記リモコンには、供給された電源の入／切を行うスイッチング手段と、入スイッチと、電圧変化検出手段と、ラッチ手段を備え、前記入スイッチもしくは前記電圧変化検出手段もしくは前記ラッチ手段のいずれかの信号で、前記スイッチング手段をオンさせる構成とした。
【００２３】
これによって、リモコンの待機状態では、スイッチング手段でリモコンの電源をリモコン側で遮断する。よって、消費電流を０（ゼロ）にでき、待機状態の消費電力を大幅に削減できる。また、待機状態においても、給湯機本体の電圧可変手段により、リモコンのマイコンが動作できる最低限の電圧以上の電圧を供給する。よって、待機状態から動作状態への移行時において、即座にマイコンを起動できる条件で待機できる。
【００２４】
使用者により、リモコンの入スイッチを操作された場合は、入スイッチの接点導通により、スイッチング手段をオンさせる。この回路動作だけで、リモコンのマイコンに即座に電源供給できるので、入スイッチの操作からマイコンの起動までのタイムラグを最小限にできる。電源供給されれば、ラッチ手段がスイッチング手段をオンさせ続けるので、入スイッチの接点が開となっても、スイッチング手段をオンさせ続けることができる。
【００２５】
また、リモコンが待機状態の場合でも、給湯機本体の電圧可変手段でリモコンへの供給電圧を変化させることで、リモコンの電圧変化検出手段がその電圧変化を検出し、スイッチング手段をオンする。よって、リモコンのマイコンが停止状態においても、給湯機本体からリモコンを動作状態にできる。
【００２６】
これらの作用により、待機状態では、スイッチング手段で電源を遮断するので消費電力を大幅に削減できる。さらに、待機状態から動作状態への状態移行時も、スイッチング手段をオンするだけでマイコンを起動できるので、使用者が、リモコンを操作して、待機状態から動作状態に移行させる場合のタイムラグが小さく、違和感がないようにすることができる。
【００２７】
第２の発明は、特に、第１の発明の電圧変化検出手段を、抵抗とコンデンサで構成し、コンデンサへの充電電流もしくは放電電流を利用し、スイッチング手段をオンさせるものとしたことにより、安価に構成できると共に、待機状態や動作状態で、リモコンへの供給電圧が一定の場合には、消費電流を０（ゼロ）にできる。
【００２８】
以下、本発明の実施の形態について、図面を参照しながら説明する。なお、この実施の形態によって本発明が限定されるものではない。
【００２９】
（実施の形態１）
図１は、本発明の第１の実施の形態における給湯機のブロック図を示すものである。
【００３０】
図１において、給湯機本体１とリモコン２は、２心ケーブル３で接続されている。給湯機本体１には商用電源が接続されている。給湯機によっては、ＡＣ１００Ｖであったり、ＡＣ２００Ｖであったりする。商用電源は、電源手段４によって、直流電源をつくっている。この例では、ＤＣ１２ＶとＤＣ５Ｖをつくっている。ＤＣ５Ｖは、マイコン５に供給されている。他の回路にもＤＣ５Ｖは供給されているが、この図では省略する。ＤＣ１２Ｖは、電圧可変手段６に供給される、電圧可変手段６では、出力電圧をＤＣ１２ＶとＤＣ８Ｖを可変することができる。
【００３１】
リモコン２に対する電源供給は、電圧可変手段６からコイル７を通って、リモコン接続端子８により供給される。コイル７とリモコン接続端子８の間から通信手段９へ接続する。コイル７は、通信信号が、電圧可変手段６側に流れないように、阻止するためのものである。つまり、リモコン２への電源供給は直流であるので、コイル７のインピーダンスは小さく、電源供給には支障はない。反面、通信信号は、２５０ｋＨｚの高周波であるため、コイル７のインピーダンスが高くなり、電圧可変手段６側には流れない。コイル７が無ければ、電圧可変手段６や電源手段４のインピーダンスが小さく、通信信号が流れてしまい、通信信号の振幅が小さくなる。よって、コイル７が必要となる。
【００３２】
リモコン２では、ケーブル接続端子１０に２心ケーブル３を接続する。ケーブル接続端子１０の両端にリモコン用電源が供給される。２心ケーブル３は、設置工事の容易性を考えて、無極性としている。よって、ケーブル接続端子１０のどちらに直流電源の＋側が接続されるか分からない。電源の片側には、コイル１１を接続し、その後に整流手段１２を設ける。無極性としているため、整流手段１２でブリッジ整流を行い、極性を合わせる。整流手段１２の＋側にはスイッチング手段１３を設け、リモコン２の電子回路への電源供給を入／切する。スイッチング手段１３の出力には、５Ｖ定電圧手段１４と他回路１５が接続されている。５Ｖ定電圧手段１４の出力には、マイコン１６が接続されている。
【００３３】
また、スイッチング手段１３の制御入力として、次の３信号が入力される。一つは、入スイッチ１７、二つ目は電圧変化検出手段１８の出力、三つ目はラッチ手段１９の出力である。ラッチ手段１９は、スイッチング手段１３の出力に電圧があれば、ラッチ信号を出力し、スイッチング手段１３をオンさせる。また、マイコン１６からの信号を受けて、スイッチング手段１３に対し、ラッチ信号を出力または停止する。リモコン２側の通信手段２０は、ケーブル接続端子１０の両端に接続される。通信手段２０は、ケーブル接続端子１０の両端に接続される。リモコン２側でも、コイル１１は、通信信号がリモコン２の回
路側に流れないように阻止する。
【００３４】
図２は、本発明の第１の実施の形態における給湯機のスイッチング手段１３と入スイッチ１７と電圧変化検出手段１８とラッチ手段１９の回路図である。
【００３５】
図２において、整流手段１２（図示せず）の＋側から、抵抗２１と抵抗２２を介してコンデンサ２３に接続されている。この抵抗２１と抵抗２２とコンデンサ２３で電圧変化検出手段１８を構成している。入スイッチ１７は、押しボタンスイッチ２４で構成されている。スイッチング手段１３は、ＰＮＰトランジスタ２５で構成されている。ラッチ手段１９は、ＮＰＮトランジスタ２６と抵抗２７と抵抗２８で構成されている。抵抗２９は、ＰＮＰトランジスタ２５のベース電流を制限するための抵抗である。ダイオード３０は、入スイッチ２４もしくはラッチ手段１９がオンしたときに、電圧変化検知手段１８のコンデンサ２３への影響をなくすために設けている。
【００３６】
以上のように構成された給湯機について、以下その動作、作用を説明する。説明は、以下の順序で行う。
１．待機状態
２．使用者がリモコン２の入スイッチ１７を操作して、リモコン２が待機状態から動作状態に移行する動作
３．使用者がリモコン２を待機状態にする動作
４．給湯機本体１がリモコン２を待機状態から動作状態にする動作
５．給湯機本体１がリモコン２を動作状態から待機状態にする動作
まず、待機状態を説明する。待機状態では、給湯機本体１のマイコン５は、電圧可変手段６に対して、電圧を下げる信号を送る。電圧可変手段６はリモコン電源供給電圧を８Ｖにする。リモコン接続端子８から２心ケーブル３を介して、リモコン２に電源（８Ｖ）を供給する。
【００３７】
リモコン２では、ケーブル接続端子１０には８Ｖが供給されているが、整流手段１２の電圧降下があるので、整流手段１２の後は、６．８Ｖが印加されている。スイッチング手段１３はオフしているので、マイコン１６を含む回路全体の電源が遮断されている。図２のＰＮＰトランジスタ２５がオフしているので、ラッチ手段１９のＮＰＮトランジスタ２６のベースには電流が流れず、ＮＰＮトランジスタ２６もオフしている。電圧変化検出手段１８には、８Ｖが定常的に印加されているので、コンデンサ２３は、８Ｖに充電されたままとなり、充電電流も放電電流も流れない。入スイッチ１７を構成する押しボタンスイッチ２４もオフ（接点開）なので、ＰＮＰトランジスタ２５のベース電流は流れないので、ＰＮＰトランジスタ２５はオフのままである。この状態では、電源電圧は供給されているが、電流は流れていないので、消費電力は０（ゼロ）となる。
【００３８】
次に、使用者がリモコン２の入スイッチ１７を操作して、リモコン２が待機状態から動作状態に移行する動作を説明する。使用者は、リモコンを動作状態にするために、入スイッチ１７を操作する。実際には、押しボタンスイッチ２４が、例えば０．５秒程度押される。押しボタンスイッチ２４がオンすると、抵抗２９を通じて、ＰＮＰトランジスタ２５のベース電流が流れる。結果、ＰＮＰトランジスタ２５すなわちスイッチング手段１３がオンする。
【００３９】
スイッチング手段１３がオンすれば、リモコン２の回路全体に電源（現時点では８Ｖがケーブル接続端子１０に供給されているので、整流手段１２でダイオードの電圧降下分を差し引いた６．８Ｖ）が供給されるため、５Ｖ定電圧手段１４で５Ｖが出力され、マイコン１６が動作を始めると共に、他回路１５にも電源が供給される。他回路１５としては、表示回路や音声案内回路等が含まれる。よって、スイッチング手段１３がオンすれば即座
にマイコン１６の動作が始まるので、タイムラグは最小に抑えられる。
【００４０】
スイッチング手段１３がオンすると、ラッチ手段１９の抵抗２７を通じて、ＮＰＮトランジスタ２６のベース電流が流れる。結果、ＮＰＮトランジスタ２６がオンし、抵抗２９を通じてＰＮＰトランジスタ２５のベース電流を流すことができる。この入スイッチ１７を押してから、ラッチ手段１９がオンするまでの時間は、０．１秒未満である。よって、入スイッチ１７を押してから０．５秒後に指を離しても、スイッチング手段１３はオンし続けることができる。一度スイッチング手段１３がオンすれば、そのオン状態を維持（ラッチ）できることから、ラッチ手段１９と呼ぶ。
【００４１】
リモコン２が動作状態であることを、給湯機本体１に伝えるため、マイコン１６は通信手段２０を起動し、通信データを送信する。２心ケーブル３を通じて、給湯機本体１の通信手段９に伝える。通信手段９で受信した通信データは、マイコン５に送られ、マイコン５はリモコン２が動作状態であることを認識し、電圧可変手段６に対して、電圧を動作状態（１２Ｖ）に上げる信号を出す。電圧可変手段６は、リモコン２への電源供給を１２Ｖで行う。リモコン２は、８Ｖで動作を開始しているが、電圧が１２Ｖになり、本来の動作条件となる。一般的に、１２Ｖが必要なのは、通話機能などのリモコン２における比較的電力の大きな回路であるが、入スイッチ１７を操作した後に、使用者が通話機能の起動のための操作に少しの時間がかかるので、その間に供給電圧は立ち上がり、支障はない。
【００４２】
以上のように、使用者のリモコン操作に対しては、待機状態も８Ｖの電圧を供給しているので、即座にマイコン１６を動作状態にすることができ、タイムラグが少なく、使用者に違和感を持たせないようにすることができる。
【００４３】
使用者がリモコン２を待機状態にするときは、切スイッチ（図示せず）を操作する。マイコン１６は、切スイッチ操作を入力し、まず、通信手段２０から「リモコン切」の通信データを送信させる。給湯機本体１の通信手段９はこのデータを受信し、マイコン５に伝える。マイコン５はリモコン供給電圧を待機状態にさせるため、電圧可変手段６に対して、供給電圧を８Ｖに落とすように指示する。また、リモコン２のマイコン１６は、ラッチ手段１９のＮＰＮトランジスタ２６のベース端子をＬに落とす。結果、ＮＰＮトランジスタ２６はオフし、抵抗２９を通じて流れていたスイッチング手段１３のＰＮＰトランジスタ２５のベース電流が無くなる。よって、ＰＮＰトランジスタ２５がオフ、すなわちスイッチング手段１３はオフする。スイッチング手段１３がオフするので、マイコン１６を含む全回路の電流が遮断され、電流が０（ゼロ）となる。
【００４４】
次に、給湯機本体１が、リモコン２を待機状態から動作状態にする場合を説明する。このような状況は、例えば、給湯機本体１に異常が発生し、リモコン２で報知を行う場合などがある。この場合は、まず、給湯機本体１のマイコン５から電圧可変手段６に対して、電圧を動作状態（１２Ｖ）に上げる信号を出す。電圧可変手段６は、リモコン２への電源供給を１２Ｖで行う。リモコン２では、供給電圧が８Ｖから１２Ｖに上昇する。整流手段１２の後では、６．８Ｖから１０．８Ｖへの電圧上昇となる。電圧変化検出手段１８のコンデンサ２３の電圧は待機状態に６．８Ｖまで充電されている。整流手段１２の後の電圧が１０．８Ｖに上昇することによって、コンデンサ２３に充電が開始される。コンデンサ２３への充電電流の経路は、一つは抵抗２１と抵抗２２を通る経路であり、もう一つは、ＰＮＰトランジスタ２５のエミッタからベース、その後ダイオード３０、抵抗２２を通る経路である。二つ目の経路は、ＰＮＰトランジスタのベース電流の経路であり、ベース電流を流すことによりＰＮＰトランジスタ２５がオン、すなわちスイッチング手段１３をオンさせることができる。スイッチング手段１３がオンした後の動作は、使用者が入スイッチ１７を操作したときと同様のため、省略する。
【００４５】
抵抗２２がどの程度の抵抗値であればよいのか説明する。
【００４６】
リモコン２の全回路電流を１００ｍＡとする。すなわち、ＰＮＰトランジスタ２５のコレクタ電流が１００ｍＡである。ＰＮＰトランジスタ２５の直流電流増幅率（ｈＦＥ）が１００であるならば、ＰＮＰトランジスタ２５のベース電流は、１００ｍＡ／１００＝１ｍＡが必要である。ＰＮＰトランジスタ２５のエミッタ−ベース間電圧を０．７Ｖ、ダイオード３０の順電圧（ＶＦ）を０．６Ｖとするならば、抵抗２２に印加される電圧は、１０．８Ｖ−０．７Ｖ−０．６Ｖ−６．８Ｖ＝２．７Ｖである。この２．７Ｖで、１ｍＡのベース電流とＲ２１を通ってくる電流を流す必要がある。Ｒ２１の両端電圧は、ＰＮＰトランジスタ２５のエミッタ−ベース電圧とダイオードの順電圧なので、０．７Ｖ＋０．６Ｖ＝１．３Ｖである。よって、Ｒ２１の抵抗値＝４７ｋΩとすると、Ｒ２１を流れる電流は、１．３Ｖ／４７ｋΩ＝０．０２８ｍＡとなる。よって、１ｍＡのベース電流と合計して、１．０２８ｍＡ。Ｒ２２の抵抗値は１．３Ｖ／１．０２８ｍＡ＝１．３ｋΩとなり、１．３ｋΩより小さい抵抗値であれば、必要なベース電流である１ｍＡを流すことができ、スイッチング手段１３をオンすることができる。
【００４７】
また、コンデンサ２３の容量は、ラッチ手段１９がラッチを完了するまでの０．１秒の間、ＰＮＰトランジスタ２５のベース電流が流せるように設計すればよい。
【００４８】
以上のように、電圧変化検出手段１８を設けることにより、リモコン２側の回路電源が、スイッチング手段１３ですべて遮断されている場合でも、リモコン２を起動させることができる。また、電圧変化検出手段１８を抵抗２１、抵抗２２とコンデンサ２３で構成することにより、安価に構成できる。また、コンデンサ２３は、電圧変化がない状態、すなわち待機状態や動作状態が続いている間は、電流が流れないので、待機状態の消費電力を０（ゼロ）にすることができる。
【００４９】
最後に、リモコン２が動作状態の時に、給湯機本体１がリモコンを待機状態にする場合を説明する。給湯機本体１のマイコン５から通信手段９に対して、「リモコン切」の送信を行うように指示する。通信手段９は「リモコン切」を送信し、リモコン２の通信手段２０は、その通信データを受信する。通信手段２０は、マイコン１６に受信データを送り、マイコン１６は「リモコン切」を認識する。マイコン１６は、ラッチ手段１９のＮＰＮトランジスタ２６のベース端子をＬに落とす。結果、ＮＰＮトランジスタ２６はオフし、抵抗２９を通じて流れていたスイッチング手段１３すなわちＰＮＰトランジスタ２５のベース電流が無くなる。よって、ＰＮＰトランジスタ２５、すなわちスイッチング手段１３はオフする。スイッチング手段１３がオフするので、マイコン１６を含む全回路の電流が遮断され、電流が０（ゼロ）となる。同時に、給湯機本体１のマイコン５は電圧可変手段６に対して、リモコン供給電圧を８Ｖに下げる指示を出す。
【００５０】
以上のように、リモコン２の待機状態は、スイッチング手段１３でリモコン２の回路電流を０（ゼロ）すなわち消費電力を０（ゼロ）にできる。また、待機状態でもリモコン２のマイコン１６が即座に動作可能な電圧を供給している（誤解のないように補足すると、電圧は供給しているが、電流が０なので、消費電力は０）ので、使用者が入スイッチ１７の操作を行えば、すぐにリモコン２を起動できるので、タイムラグが小さく、違和感を与えない。
【００５１】
また、給湯機本体１に電圧可変手段６と、リモコン２に電圧変化検出手段１８を備えたことにより、リモコン２のマイコン１６が停止しているにも関わらず、給湯機本体１側から、リモコン２を起動することができる。
【００５２】
なお、スイッチング電源で、電源手段４と電圧可変手段６を一体化してもよい。
【００５３】
なお、ラッチ手段１９は、ＮＰＮトランジスタ２６等のディスクリート回路で構成したが、マイコン１６の出力と兼用してもよい。その場合、マイコン１６からのラッチ出力が、ディスクリート回路と同等の約０．１秒程度で出力されるように、マイコン１６の動作速度や、マイコン１６のソフトウェアに注意が必要である。
【００５４】
なお、リモコン２が一つの場合を説明したが、台所リモコンと浴室リモコン等のように、複数のリモコンが接続されても同様である。
【００５５】
なお、リモコン２の接続を無極性２線式とするために、整流手段１２を設けた。しかし、リモコン接続端子８とケーブル接続端子１０をコネクタ式にした場合、電圧の極性が規定できるので、整流手段は必要ない。この場合でも、本願発明の効果に変わりはないことは言うまでもない。
【００５６】
なお、電圧変化検出手段１８として、マイコン回路によく使用されているリセットＩＣと呼ばれる電圧検出ＩＣ等を使用してもよい。この場合、電圧検出ＩＣの消費電流として１μＡ程度が流れるが、リモコン２の消費電流に比べれば大幅に小さいので、消費電力の削減効果は、抵抗とコンデンサで構成した場合と同様である。
【００５７】
なお、本実施例では、待機状態のリモコン供給電圧を８Ｖとし、動作状態のリモコン供給電圧の１２Ｖより低くしたが、待機状態のリモコン供給電圧を動作状態の供給電圧より高く設定してもよい。この場合、電圧変化検出手段１８のコンデンサ２３は、待機状態から動作状態の電圧変化（電圧が低くなる）により、放電電流が流れる。この放電電流をスイッチング手段１３のベース電流として利用すればよい。
【００５８】
なお、本実施例では、表示回路を他回路１５に含めた説明をしたが、マイコン１６と同様に、５Ｖ定電圧手段１４の出力に接続してもよい。
【００５９】
なお、本実施例では、５Ｖ定電圧手段１４の出力に接続せずに、スイッチング手段１３の出力に直接接続される他回路１５があったが、すべての回路をマイコンと同じ電源電圧としてもよい。
【産業上の利用可能性】
【００６０】
以上のように、本発明にかかる給湯機は、リモコンが待機状態には、リモコンの消費電流を０（ゼロ）にすることが可能となるので、給湯機と同様に２心ケーブルで接続されるリモコンを有する機器において、待機電力を削減する用途にも適用できる。
【符号の説明】
【００６１】
１  給湯機本体
２  リモコン
６  電圧可変手段
１３  スイッチング手段
１７  入スイッチ
１８  電圧変化検出手段
１９  ラッチ手段
２１  抵抗
２２  抵抗
２３  コンデンサ
【図１】
2011202849.tif 000003
【図２】
2011202849.tif 000004